【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
電子写真画像形成装置に用いられる着脱ユニットセットにおいて、
（１）前記電子写真画像形成装置の装置本体に着脱可能なカートリッジであって、（１−１）感光体ドラムと、（１−２）前記装置本体に設けられた駆動軸から前記感光体ドラムを回転するための駆動力を受けるためのカップリング部材と、を有するカートリッジと、
（２）前記装置本体に着脱可能なアタッチメントであって、（２−１）前記駆動軸の傾斜を抑えるために前記駆動軸の周囲に取り付けられるように構成された円筒部を有するアタッチメントと、
を有する着脱ユニットセット。
【請求項２】
前記カップリング部材は、進退移動が可能である請求項１に記載の着脱ユニットセット。
【請求項３】
前記アタッチメントの前記円筒部の内径が、前記感光体ドラムの外径より大きいことを特徴とする請求項１又は２に記載の着脱ユニットセット。
【請求項４】
前記アタッチメントは、前記円筒部から前記円筒部の径方向の外側に向かって延びる把持部を有する請求項１乃至３のいずれか１項に記載の着脱ユニットセット。
【請求項５】
前記カートリッジは現像ローラを有し、
前記円筒部の軸線から前記把持部の最も遠い点までの距離をｕとし、
前記感光体ドラムの軸線から前記現像ローラの軸線までの距離をｓとすると、
ｕ＞ｓ
を満たす請求項４に記載の着脱ユニットセット。
【請求項６】
前記把持部は、前記円筒部の軸線方向に突出している突出部を有する請求項４又は５に記載の着脱ユニットセット。
【請求項７】
前記把持部は、開口部を有する請求項４乃至６のいずれか１項に記載の着脱ユニットセット。
【請求項８】
前記円筒部の軸線と直交する面において、前記円筒部の軸線を中心として９０度より小さな領域内に、前記円筒部と前記把持部との連結部の全体が位置する請求項４乃至７のいずれか１項に記載の着脱ユニットセット。
【請求項９】
前記アタッチメントは、前記把持部に取り付けられた両面テープを有する請求項４乃至７のいずれか１項に記載の着脱ユニットセット。
【請求項１０】
前記アタッチメントは、両面テープを有する請求項１乃至９のいずれか１項に記載の着脱ユニットセット。
【請求項１１】
前記円筒部は、前記アタッチメントが前記電子写真画像形成装置から外れるのを抑える抜け止め部を有する請求項１乃至１０のいずれか１項に記載の着脱ユニットセット。
【請求項１２】
前記円筒部は、スナップフィットを有する請求項１乃至１１のいずれか１項に記載の着脱ユニットセット。
【請求項１３】
駆動軸を備える電子写真画像形成装置本体と、
請求項１乃至１２のいずれか１項に記載の着脱ユニットセットと、
を備える電子写真画像形成装置。
【請求項１４】
カートリッジが着脱可能に構成された電子写真画像形成装置の装置本体に対して着脱可能なアタッチメントであって、
前記装置本体に設けられた駆動軸の傾斜を抑えるために前記駆動軸に取り付けられる円筒部を有するアタッチメント。
【請求項１５】
前記アタッチメントは、前記円筒部から前記円筒部の径方向の外側に向かって延びる把持部を有する請求項１４に記載のアタッチメント。
【請求項１６】
前記把持部は、前記円筒部の軸線方向に突出している突出部を有する請求項１５に記載のアタッチメント。
【請求項１７】
前記把持部は、開口部を有する請求項１５又は１６に記載のアタッチメント。
【請求項１８】
前記円筒部の軸線と直交する面において、前記円筒部の軸線を中心として９０度より小さな領域内に、前記円筒部と前記把持部との連結部の全体が位置する請求項１５乃至１７のいずれか１項に記載のアタッチメント。
【請求項１９】
前記アタッチメントは、前記把持部に取り付けられた両面テープを有する請求項１５乃至１８のいずれか１項に記載のアタッチメント。
【請求項２０】
前記アタッチメントは、両面テープを有する請求項１４乃至１９のいずれか１項に記載のアタッチメント。
【請求項２１】
前記円筒部は、前記装置本体から前記アタッチメントが取り外されるのを抑える抜け止め部を有する請求項１４乃至２０のいずれか１項に記載のアタッチメント。
【請求項２２】
前記円筒部は、スナップフィットを有する請求項１４乃至２１のいずれか１項に記載のアタッチメント。
【請求項２３】
電子写真画像形成装置に用いられる着脱ユニットセットにおいて、
（１）カートリッジであって、（１−１）感光体ドラムと、（１−２）前記感光体ドラムを回転するための駆動力を受けるためのカップリング部材と、を有するカートリッジと、
（２）アタッチメントであって、（２−１）その軸線方向における両端が開放された円筒部を有するアタッチメントと、
を有する着脱ユニットセット。
【請求項２４】
前記カップリング部材は、進退移動が可能である請求項２３に記載の着脱ユニットセット。
【請求項２５】
前記アタッチメントの前記円筒部の内径が、前記感光体ドラムの外径より大きいことを特徴とする請求項２３又は２４に記載の着脱ユニットセット。
【請求項２６】
前記アタッチメントは、前記円筒部から前記円筒部の径方向の外側に向かって延びる把持部を有する請求項２３乃至２５のいずれか１項に記載の着脱ユニットセット。
【請求項２７】
前記カートリッジは現像ローラを有し、
前記円筒部の軸線から前記把持部の最も遠い点までの距離をｕとし、
前記感光体ドラムの軸線から前記現像ローラの軸線までの距離をｓとすると、
ｕ＞ｓ
を満たす請求項２６に記載の着脱ユニットセット。
【請求項２８】
前記把持部は、前記円筒部の軸線方向に突出している突出部を有する請求項２６又は２７に記載の着脱ユニットセット。
【請求項２９】
前記把持部は、開口部を有する請求項２６乃至２８のいずれか１項に記載の着脱ユニットセット。
【請求項３０】
前記円筒部の軸線と直交する面において、前記円筒部の軸線を中心として９０度より小さな領域内に、前記円筒部と前記把持部との連結部の全体が位置する請求項２６乃至２９のいずれか１項に記載の着脱ユニットセット。
【請求項３１】
前記アタッチメントは、前記把持部に取り付けられた両面テープを有する請求項２６乃至３０のいずれか１項に記載の着脱ユニットセット。
【請求項３２】
前記アタッチメントは、両面テープを有する請求項２３乃至３１のいずれか１項に記載の着脱ユニットセット。
【請求項３３】
前記円筒部は、抜け止め部を有する請求項２３乃至３２のいずれか１項に記載の着脱ユニットセット。
【請求項３４】
前記円筒部は、スナップフィットを有する請求項２３乃至３３のいずれか１項に記載の着脱ユニットセット。
【請求項３５】
駆動軸を備える電子写真画像形成装置本体と、
請求項２３乃至３４のいずれか１項に記載の着脱ユニットセットと、
を備える電子写真画像形成装置。
【請求項３６】
電子写真画像形成装置に用いられるアタッチメントであって、
その軸線方向における両端が開放された円筒部と、
前記円筒部の外周部から前記円筒部の径方向の外側に向かって延びる把持部と、
を有するアタッチメント。
【請求項３７】
前記把持部は、前記円筒部の軸線方向に突出している突出部を有する請求項３６に記載のアタッチメント。
【請求項３８】
前記把持部は、開口部を有する請求項３６又は３７に記載のアタッチメント。
【請求項３９】
前記円筒部の軸線と直交する面において、前記円筒部の軸線を中心として９０度より小さな領域内に、前記円筒部と前記把持部との連結部の全体が位置する請求項３６乃至３８のいずれか１項に記載のアタッチメント。
【請求項４０】
前記アタッチメントは、前記把持部に取り付けられた両面テープを有する請求項３６乃至３９のいずれか１項に記載のアタッチメント。
【請求項４１】
前記アタッチメントは、両面テープを有する請求項３６乃至４０のいずれか１項に記載のアタッチメント。
【請求項４２】
前記円筒部は、抜け止め部を有する請求項３６乃至４１のいずれか１項に記載のアタッチメント。
【請求項４３】
前記円筒部は、スナップフィットを有する請求項３６乃至４２のいずれか１項に記載のアタッチメント。
【請求項４４】
カートリッジ装着方法において、
電子写真画像形成装置本体に設けられた駆動軸にアタッチメントを取り付けることで前記駆動軸の傾斜を抑える工程と、
前記アタッチメントが取り付けられた前記装置本体に前記カートリッジを装着する工程と、
を有するカートリッジ装着方法。
【手続補正２】
【補正対象書類名】明細書
【補正対象項目名】発明の名称
【補正方法】変更
【補正の内容】
【発明の名称】着脱ユニットセット、電子写真画像形成装置、アタッチメント、およびカートリッジ装着方法
【手続補正３】
【補正対象書類名】明細書
【補正対象項目名】００１２
【補正方法】変更
【補正の内容】
【００１２】
本願で開示される代表的な構成は、
電子写真画像形成装置に用いられる着脱ユニットセットにおいて、
（１）前記電子写真画像形成装置の装置本体に着脱可能なカートリッジであって、（１−１）感光体ドラムと、（１−２）前記装置本体に設けられた駆動軸から前記感光体ドラムを回転するための駆動力を受けるためのカップリング部材と、を有するカートリッジと、
（２）前記装置本体に着脱可能なアタッチメントであって、（２−１）前記駆動軸の傾斜を抑えるために前記駆動軸の周囲に取り付けられるように構成された円筒部を有するアタッチメントと、
を有する着脱ユニットセットである。
【手続補正４】
【補正対象書類名】明細書
【補正対象項目名】００１３
【補正方法】変更
【補正の内容】
【００１３】
また本願で開示される別の代表的な構成は、
カートリッジが着脱可能に構成された電子写真画像形成装置の装置本体に対して着脱可能なアタッチメントであって、
前記装置本体に設けられた駆動軸の傾斜を抑えるために前記駆動軸に取り付けられる円筒部を有するアタッチメントである。
【手続補正５】
【補正対象書類名】明細書
【補正対象項目名】００１４
【補正方法】変更
【補正の内容】
【００１４】
また本願で開示される別の代表的な構成は、
電子写真画像形成装置に用いられる着脱ユニットセットにおいて、
（１）カートリッジであって、（１−１）感光体ドラムと、（１−２）前記感光体ドラムを回転するための駆動力を受けるためのカップリング部材と、を有するカートリッジと、
（２）アタッチメントであって、（２−１）その軸線方向における両端が開放された円筒部を有するアタッチメントと、
を有する着脱ユニットセッでトである。
【手続補正６】
【補正対象書類名】明細書
【補正対象項目名】００１５
【補正方法】変更
【補正の内容】
【００１５】
また本願で開示される別の代表的な構成は、
電子写真画像形成装置に用いられるアタッチメントであって、
その軸線方向における両端が開放された円筒部と、
前記円筒部の外周部から前記円筒部の径方向の外側に向かって延びる把持部と、
を有するアタッチメントである。
また本願で開示される代表的な方法は、
カートリッジ装着方法において、
電子写真画像形成装置本体に設けられた駆動軸にアタッチメントを取り付けることで前記駆動軸の傾斜を抑える工程と、
前記アタッチメントが取り付けられた前記装置本体に前記カートリッジを装着する工程と、
を有するカートリッジ装着方法である。